(57)【要約】【課題】ギンバルベルトおよび手拭きタオルの機能を備えた軽量コンパクトな釣竿仮保持具の提供。【解決手段】この釣竿仮保持具３０は、実釣時に釣人が着用する釣用ウェア１１に装着される。釣竿仮保持具３０は、釣用ウェア１１のベルト３１に取り付けられ、ズボン１２の股上部１３の前面に配置される。釣竿仮保持具３０は、シート状のコア部材３４と、これに設けられた吸水布３５と、この釣竿仮保持具３０をズボン１２に引っ掛けるためのフック３６とを備えている。コア部材３４は、ゴムまたは樹脂からなる。吸水布３５は、タオル地からなり、帯状に形成されている。吸水布３５は、コア部材３４の表面および裏面を被うように配置されている。コア部材３４は、吸水布３５よりも外方に飛び出している。【選択図】図３
2007244284.tif 000002
【特許請求の範囲】
【請求項１】
釣用ウェアに装着される釣竿仮保持具であって、
弾性を有するシート状のコア部材と、
コア部材に設けられ、当該コア部材の表面を被う吸水布と、
コア部材に設けられ、釣用ウェアに着脱自在に係合する係合部材とを備えた釣竿仮保持具。
【請求項２】
上記吸水布は、上記コア部材の表面、上縁および裏面を被う帯状に形成されている請求項１に記載の釣竿仮保持具。
【請求項３】
上記コア部材の上記上縁以外の周縁部は、上記吸水布から外方に延出している請求項１又は２に記載の釣竿仮保持具。
【請求項４】
上記係合部材は、面ファスナーである請求項１から３のいずれかに記載の釣竿仮保持具。
【請求項５】
上記係合部材は、釣用ウェアに引っ掛けられる吊下フックである請求項１から３のいずれかに記載の釣竿仮保持具。
【発明の詳細な説明】
【技術分野】
【０００１】
本発明は、釣竿の後端を一定の保持力で仮保持することができる釣竿仮保持具に関するものである。
【背景技術】
【０００２】
図６が示すように、トローリングその他の大型魚をターゲットとするソルトウォータフィッシングでは、釣竿１の後端にギンバル２と称される釣竿支持具が設けられる（例えば、特許文献１および特許文献２参照）。このギンバル２は、その後端面から軸方向に延びる十字状の溝３が形成されている。また、釣人は、このようなギンバル２が設けられた釣竿１を操作するためにギンバルベルト４を使用する。釣人は、ギンバルベルト４を腹部に装着し、ギンバル２をギンバルベルト４に係合させた状態で釣竿１を操作する。具体的には、ギンバル２に設けられた溝３とギンバルベルト４の支持部５に設けられた支持軸６とが嵌合される。これにより、釣竿１の後端が確実に支持されるから、釣人はフルパワーのファイティングが可能となる。
【０００３】
一方、例えば餌を使用する磯釣り等においては、釣人は餌を手に取って、これを釣針に装着したり、釣れた魚を手で掴んで釣針を外したりする作業を行う。特に、競技会等においては、釣人は、かかる作業を連続して迅速に行わなければならないときもある。そのため、釣人は、釣りの際中において適宜迅速に手を拭くことができるようにタオルを携帯することがある。
【０００４】
【特許文献１】特開平１１−１５５４２６号公報
【特許文献２】特開２００１−５７８３０号公報
【発明の開示】
【発明が解決しようとする課題】
【０００５】
しかし、タオルは、通常、ライフジャケットに引っ掛けられているだけであるので、風によって煽られ、使用し難い場合がある。また、磯釣りにおいても中型以上の魚がターゲットとされる場合には、上記ギンバルベルト４のように釣竿の後端を固定し得る部材が要求されるが、釣人がギンバルベルトとタオルとを別々に携帯することによって装備が重くなり、そのため釣人は、軽快な磯釣りを行うことが困難となるおそれがある。
【０００６】
そこで、本発明の目的は、適宜迅速に手を拭くことができ、しかも中型以上の魚がヒットした場合であっても釣竿を円滑に操作し得る軽量コンパクトな釣竿仮保持具を提供することである。
【課題を解決するための手段】
【０００７】
(1) 上記目的が達成されるため、本発明に係る釣竿仮保持具は、釣用ウェアに装着される釣竿仮保持具であって、弾性を有するシート状のコア部材と、コア部材に設けられ、当該コア部材の表面を被う吸水布と、コア部材に設けられ、釣用ウェアに着脱自在に係合する係合部材とを備えている。
【０００８】
釣人は、釣竿仮保持具を釣用ウェアに装着する。釣竿仮保持具は、例えばズボンの股上部の前面に係合部材を介して取り付けられる。実釣において、例えばオキアミ等が餌として使用される場合は、釣人は、餌を摘んだ指先や、釣れた魚を掴んだ手のひらを上記吸水布に接触させることによって指先や手のひらの汚れを拭うことができる。また、仮に大型の魚がヒットした場合には、釣人は、釣竿の後端を釣竿仮保持具に当てることができる。この釣竿仮保持具は、上記コア部材を備え、しかも当該コア部材が弾性を有するから、この釣竿の後端は、コア部材によって安定して仮保持される。このコア部材はシート状に形成され、上記吸水布は、このコア部材の表面を覆うように設けられているから、釣竿仮保持具は全体として板状に形成され、軽量且つコンパクトに設計され得る。
【０００９】
(2) 上記吸水布は、上記コア部材の表面、上縁および裏面を被う帯状に形成されていてもよい。
【００１０】
上記吸水布によって上記コア部材の表面、上縁および裏面が被われるから、シート状のコア部材の両面に吸水布が配置された状態となる。したがって、実釣において何らかの理由により釣竿仮保持具が表裏反転した場合であっても、釣人は、釣竿を安定的に支持することができるし、指先や手のひらの汚れを迅速に拭うことができる。
【００１１】
(3) 上記コア部材の上記上縁以外の周縁部は、上記吸水布から外方に延出しているのが好ましい。
【００１２】
この場合、吸水布がコア部材上で安定する。また、吸水布が所定の固着手段によってコア部材に固着される場合には、コア部材が吸水布のベースとなり、吸水布が確実にコア部材に固定され得る。このように吸水布がコア部材上で安定するから、釣人は、吸水布によって一層容易に指先等を拭うことができる。
【００１３】
(4) 上記係合部材は、面ファスナーであるのが好ましい。
【００１４】
これにより、釣竿仮保持具は、きわめて簡単に釣用ウェアに着脱され得る。
【００１５】
(5) 上記係合部材は、釣用ウェアに引っ掛けられる吊下フックであってもよい。
【００１６】
吊下フックは、釣用ウェアのズボンの前側上縁部に引っ掛けられる。この吊下フックにより、釣竿仮保持具は、確実に釣用ウェアに装着される。
【発明の効果】
【００１７】
本発明によれば、釣竿仮保持具が軽量コンパクトに設計され得るから、釣人は、この釣竿仮保持具を釣用ウェアに装着した場合であっても軽快に釣りを行うことができる。しかも、釣人は、中型以上の魚がヒットした場合であっても釣竿を安定的に支持することができるし、手が汚れた場合でも迅速に拭うことができる。
【発明を実施するための最良の形態】
【００１８】
以下、適宜図面が参照されつつ、好ましい実施形態に基づいて本発明が詳細に説明される。
【００１９】
＜第１の実施形態＞
【００２０】
図１は、本発明の第１の実施形態に係る釣竿仮保持具の正面図であって、釣竿仮保持具が釣用ウェアに装着された状態が示されている。図２は、本発明の第１の実施形態に係る釣竿仮保持具の断面図である。
【００２１】
図１が示すように、釣竿仮保持具１０は、実釣時に釣用ウェア１１に装着されるものである。この釣竿仮保持具１０は、ズボン１２の股上部１３の前面に取り付けられている。なお、この股上部１３の前面とは、魚がヒットした場合等に釣人が釣竿を安定的に操作するために釣竿の後端が当接される部位である。図１および図２が示すように、釣竿仮保持具１０は、シート状のコア部材１４と、これに設けられた吸水布１５と、この釣竿仮保持具１０をズボン１２に接着するための面ファスナー１６（係合部材）とを備えている。
【００２２】
コア部材１４は、エチレン酢酸ビニル共重合体（ＥＶＡ）その他の樹脂またはクロロプレンゴムその他のゴムからなる。本実施形態では、コア部材１４は、略矩形に形成されており、その肉厚寸法ｔ１は、５ｍｍ〜２０ｍｍ程度に設定されている。要するに、コア部材１４は、弾性を有するシート状の部材であればよい。また、コア部材１４の前面１７（表面）に凹部１８が設けられている。この凹部１８は、矩形に形成されており、その深さ寸法ｄは、３ｍｍ〜１０ｍｍ程度に設定されている。この凹部１８に吸水布１５が嵌め込まれるようになっている。
【００２３】
図１が示すように、コア部材１４の下縁１９は、その中央部が上縁２０側へ湾曲した曲面に形成されている。このように、下縁１９が湾曲されているので、例えば釣人が釣場でしゃがんだり、腰掛けたりしたときに、コア部材１４が釣人の脚に強く押し付けられることが防止される。
【００２４】
上記面ファスナー１６は、コア部材１４の裏面２１に設けられている。面ファスナー１６は、上記裏面２１の上端部および下端部に設けられている。ただし、面ファスナー１６は、他の位置に設けられていてもよく、要するに、面ファスナー１６は、コア部材１４を上記ズボン１２に確実に固定することができるものであればよい。
【００２５】
吸水布１５は、本実施形態ではタオル地が採用されている。もっとも、吸水布１５は、タオル地のほかに種々の布が採用され得る。吸水布１５の外形形状は、図１が示すように矩形である。すなわち、吸水布１５の外形形状は、コア部材１４の凹部１８の形状に対応されており、吸水布１５は、図２が示すように矢印２３の方向に沿って凹部１８に隙間なく嵌め込まれるようになっている。吸水布１５の厚み寸法ｔ２は、上記凹部１８の深さ寸法ｄに対応されている。したがって、吸水布１５が凹部１８に嵌め込まれたときは、吸水布１５の表面２２は、コア部材１４の前面１７に露出する。なお、吸水布１５は、例えば接着剤等により上記凹部１８を区画する壁面に固着されていてもよい。また、吸水布１５は、面ファスナー等を介して上記凹部１８を区画する壁面に着脱自在に設けられていてもよい。吸水布１５がコア部材１４に着脱自在に設けられることにより、当該吸水布１５が汚れた際に、釣人がこの吸水布１５を簡単に交換することができる。
【００２６】
このように、釣竿仮保持具１０がズボン１２に設けられているから、実釣において仮に大型の魚がヒットした場合には、釣人は、釣竿の後端を釣竿仮保持具１０の前面に当てることができる。すなわち、釣竿の後端は、弾性を有するコア部材１４の前面１７に押しつけられるから、釣人は、釣竿を安定して仮保持し、操作することができる。また、釣人がオキアミ等を餌として使用する場合には、釣人は、何度も指先で餌を摘む必要があり、しかも、魚が釣れた場合には、釣針を外すためにこの魚を掴む必要があるため、釣人の指先や手のひらが汚れる。このような場合であっても、釣人は、指先や手のひらを上記コア部材１４に設けられた吸水布１５に接触させることによって、指先や手のひらの汚れを簡単且つ迅速に拭うことができる。なお、この吸水布１５は、コア部材１４の前面１７に嵌め込まれるものであるから、釣竿仮保持具１０が全体として軽量コンパクトに設計される。
【００２７】
＜第２の実施形態＞
【００２８】
図３は、本発明の第２の実施形態に係る釣竿仮保持具の正面図であって、釣竿仮保持具が釣用ウェアに装着された状態を示している。図４は、本発明の第２の実施形態に係る釣竿仮保持具の断面図である。
【００２９】
図３が示すように、釣竿仮保持具３０は、上記第１の実施形態に係る釣竿仮保持具１０と同様に、実釣時に釣人が着用する釣用ウェア１１に装着されるものである。この釣竿仮保持具３０は、釣用ウェア１１のベルト３１に取り付けられ、ズボン１２の股上部１３の前面に配置されている。本実施形態に係る釣竿仮保持具３０は、シート状のコア部材３４と、これに設けられた吸水布３５と、この釣竿仮保持具３０をズボン１２に引っ掛けるためのフック３６（吊下フック）とを備えている。
【００３０】
コア部材３４は、エチレン酢酸ビニル共重合体（ＥＶＡ）その他の樹脂またはクロロプレンゴムその他のゴムからなる。本実施形態では、コア部材３４は、略瓢箪形に形成されている。コア部材３４の肉厚寸法ｔ１は、５ｍｍ〜２０ｍｍ程度に設定されている。要するに、コア部材１４は、弾性を有するシート状の部材であればよい。また、コア部材３４の上端部の中央に貫通孔３２が設けられている。この貫通孔３２は、スリット状に形成され、図４が示すように、コア部材３４の前面３７（表面）から背面３８（裏面）側へ貫通している。
【００３１】
吸水布５５は、上記第１の実施形態に係る釣竿仮保持具１０と同様にタオル地が採用されている。もっとも、吸水布３５は、タオル地のほかに種々の布が採用され得る。吸水布３５は、細長の帯状に形成されている。図３が示すように、本実施形態では、吸水布３５の中央部の幅寸法よりも両端部の幅寸法の方が大きく設定されている。もっとも、吸水布３５の幅寸法は、長手方向に一様であってもよい。この吸水布３５は、コア部材３４の前面３７および背面３８に振り分けられている。すなわち、吸水布３５の中央部３９がコア部材３４の上縁３３に掛けられ、吸水布３５は、二つ折れ状態となってコア部材３４の前面３７および背面３８に当接している。つまり、吸水布３５は、コア部材３４の前面３７、上縁３９および背面３８を被っている。
【００３２】
ただし、吸水布３５は、コア部材３４の前面３７の中央部のみおよびコア部材の背面３８の中央部のみを被っている。言い換えれば、コア部材３４が瓢箪形に形成され、吸水布３５が帯状に形成されることにより、コア部材の上縁３９以外の周縁部、すなわち、側縁部４２、４３および下縁部４４は、吸水布３５から外方に延出している。このように、コア部材３４が吸水布３５から外方に延出されることによる作用効果については後述される。
【００３３】
吸水布３５の中央部に貫通孔４０、４１が形成されている。これら貫通孔４０、４１は、吸水布３５の中央を基準に両側に対称に配置されている。この貫通孔４０、４１は、コア部材３４に設けられた貫通孔３２と同様の形状であって、スリット状に形成されている。吸水布３５は、上記貫通孔４０、４１がコア部材３４の貫通孔３２に位置合わせされた状態で当該コア部材３４に取り付けられる。なお、吸水布３５は、後に詳述されるフック３６によってコア部材３４に固定される。
【００３４】
フック３６は、本実施形態ではステンレス鋼その他の金属からなる。もっとも、フック３６は、アクリロニトリルブタジエンスチレン共重合体（ＡＢＳ）その他の樹脂から構成されていてもよい。フック３６が樹脂からなる場合には、一体的に成形され得る。本実施形態では、フック３６は、薄肉のフラットバーが折り曲げられることにより構成されている。すなわち、フック３６は、環状部４５と、係止部４６とを備えている。
【００３５】
環状部４５は、図４が示すように、吸水布３５およびコア部材３４を貫通している。これにより、吸水布３５は、フック３６を介してコア部材３４に固定されている。また、係止部４６は、環状部４５から上方へ延びる延出部４７と、この延出部４７に対向配置された挟持部４８と、この挟持部４８と延出部４７とを連結する連結部４９とを有する。挟持部４８は、連結部４９と一体的に形成されており、両者が一体となってＬ字状の部材を構成している。挟持部４８と延出部４７との間に所定の隙間５０が形成されている。図３が示すように、挟持部４８がベルト３１に引っ掛けられることにより、挟持部４８と延出部４７との間の隙間５０にベルト３１が挿入され、このベルト３１は、爪部４８と延出部４７とによって弾性的に挟持される。これにより、釣竿仮保持具３０が釣用ウェア１１に確実に取り付けられる。また、釣人がフック３６を上方へ引き上げることにより、上記隙間５０からベルト３１が挿抜され、釣竿仮保持具３０が釣用ウェア１１から取り外される。
【００３６】
このように、釣竿仮保持具３０がズボン１２に設けられているから、実釣において仮に大型の魚がヒットした場合には、釣人は、釣竿の後端を釣竿仮保持具３０の前面に当てることができる。すなわち、釣竿の後端は、弾性を有するコア部材３４の前面３７に押しつけられるから、釣人は、釣竿を安定して仮保持し、操作することができる。また、釣人がオキアミ等を餌として使用する場合には、釣人は、何度も指先で餌を摘む必要があり、しかも、魚が釣れた場合には、釣針を外すためにこの魚を掴む必要があるため、釣人の指先や手のひらが汚れる。このような場合であっても、釣人は、指先や手のひらをコア部材３４に設けられた吸水布５５に接触させることによって、指先や手のひらの汚れを簡単且つ迅速に拭うことができる。この吸水布３５は、コア部材３４に引っ掛けられているだけであるから、釣竿仮保持具３０が全体として軽量コンパクトに設計される。
【００３７】
本実施形態では、吸水布３５によってコア部材３４の前面３７および背面３８が被われるから、シート状のコア部材３４の両面に吸水布３５が配置された状態となる。したがって、実釣において仮に釣竿仮保持具３０が表裏反転した場合であっても、釣人は、釣竿仮保持具３０の向きを気にすることなく釣竿の後端を釣竿仮保持具３０に当接させ、釣竿を安定的に支持することができる。また、釣竿仮保持具３０の向きを気にすることなく指先や手のひらの汚れを簡単に拭うことができる。
【００３８】
また、本実施形態では、コア部材３４の上縁３３以外の周縁部が吸水布３５から外方に延出しているので、吸水布３５がコア部材３４上で安定する。したがって、釣人は、この吸水布３５によって一層容易に指先等を拭うことができる。
【００３９】
さらに、本実施形態では、釣竿仮保持具３０は、フック３６によって釣用ウェア１１に引っ掛けられているから、釣竿仮保持具３０は、確実に釣用ウェア１１に装着されるし、簡単に取り外される。
【００４０】
次に、本実施形態の変形例について説明される。
【００４１】
図５は、本実施形態の変形例に係る釣竿仮保持具６０の断面図である。
【００４２】
本変形例に係る釣竿仮保持具６０が上記釣竿仮保持具３０と異なるところは、上記釣竿仮保持具３０では、コア部材３４の前面３７および背面３８に沿って吸水布３５が垂れ下げられていたのに対し、本変形例では、コア部材３４の前面３７および背面３８に凹部６１、６２が設けられ、この凹部６１、６２に吸水布３５が嵌め込まれている点である。なお、その他の構成については、上記釣竿仮保持具３０と同様である。
【００４３】
上記凹部６１、６２は、帯状に形成された吸水布３５の外形形状に対応して形成されており、吸水布３５は、隙間なく凹部６１、６２に嵌め込まれている。このため、図５が示すように、吸水布３５は、コア部材３４の前面３７および裏面３８に位置決め固定された状態で露出している。したがって、釣人は、実釣中に容易に指先の汚れ等を拭うことができる。
【００４４】
また、吸水布３５が所定の固着手段によってコア部材３４に固着されていてもよい。たとえば、接着剤により凹部６１、６２内に固定されていてもよいし、面ファスナーを介して凹部６１、６２内に着脱自在に取り付けられていてもよい。加えて、コア部材３４の側縁部４２、４３および下縁部４４が吸水布３５よりも外方に延出されている場合は、コア部材３４が吸水布３５のベース部材として機能し、吸水布３５が安定して確実にコア部材３４に固定される。これにより、釣人は、吸水布３５によって一層容易に指先等を拭うことができる。
【産業上の利用可能性】
【００４５】
本発明は、実釣において釣竿の後端が仮保持される釣竿仮保持具に適用されうる。
【図面の簡単な説明】
【００４６】
【図１】図１は、本発明の第１の実施形態に係る釣竿仮保持具の正面図である。
【図２】図２は、本発明の第１の実施形態に係る釣竿仮保持具の断面図である。
【図３】図３は、本発明の第２の実施形態に係る釣竿仮保持具の正面図である。
【図４】図４は、本発明の第２の実施形態に係る釣竿仮保持具の断面図である。
【図５】図５は、本発明の第２の実施形態の変形例に係る釣竿仮保持具の断面図である。
【図６】図６は、従来のギンバルおよびギンバルベルトの構造を示す斜視図である。
【符号の説明】
【００４７】
１０・・・釣竿仮保持具
１１・・・釣用ウェア
１４・・・コア部材
１５・・・吸水布
１６・・・面ファスナー
１７・・・コア部材の前面
１８・・・凹部
１９・・・コア部材の下縁
２０・・・コア部材の上縁
２１・・・コア部材の裏面
２２・・・吸水布の表面
３０・・・釣竿仮保持具
３１・・・ベルト
３３・・・コア部材の上縁
３４・・・コア部材
３５・・・吸水布
３６・・・フック
３７・・・コア部材の前面
３８・・・コア部材の背面
３９・・・コア部材の中央部
４２・・・コア部材の側縁部
４３・・・コア部材の側縁部
４４・・・コア部材の下縁部
６０・・・釣竿仮保持具
６１・・・凹部
６２・・・凹部
【図１】
2007244284.tif 000003
【図２】
2007244284.tif 000004
【図３】
2007244284.tif 000005
【図４】
2007244284.tif 000006
【図５】
2007244284.tif 000007
【図６】
2007244284.tif 000008